(57)【要約】  【課題】  ＳＳＤ規格のメモリカードにＵＳＢ４ピン接続端子を整合させたダブル接続インタフェースを具えるメモリカードを提供する。  【解決手段】  メモリカードの長手方向の一端にＳＤ接続端子を設けて接続端とし、該ＳＤ接続端子に対向する他方の一端に４ピンのＵＳＢ接続端子を設けＵＳＢ接続端とし、該メモリカードのＵＳＢ接続端側の端縁部の一方の角を方形に切り欠き、切り欠いた部分を着脱口とし、かつ切り欠いて得られる方形のブロック状の部分をブロック部とし、該着脱口に該ブロック部を着脱自在に設けて、該メモリカードをＳＤ規格の接続ポートと、ＵＳＢ規格の接続ポートとのいずれにも挿入できるように構成する。【選択図】  図２
0003115296.tif 000002
【実用新案登録請求の範囲】
【請求項１】
長手方向の一端にＳＤ接続端子を設けて接続端とし、該ＳＤ接続端子に対向する他方の一端に４ピンのＵＳＢ接続端子を設けＵＳＢ接続端とするメモリカードにおいて、
該メモリカードのＵＳＢ接続端側の端縁部の一方の角を方形に切り欠き、切り欠いた部分を着脱口とし、かつ切り欠いて得られる方形のブロック状の部分をブロック部とし、該着脱口に該ブロック部を着脱自在に設けて、該メモリカードをＳＤ規格の接続ポートと、ＵＳＢ規格の接続ポートとのいずれにも挿入できるように構成することを特徴とするダブル接続インタフェースを具えるメモリカード。
【請求項２】
前記着脱口の直交する両壁面と、該ブロック部の側壁とに、一方がオスで、他方がメスであって、互いに対応する係合部をそれぞれ形成することを特徴とする請求項１に記載のダブル接続インタフェースを具えるメモリカード。
【請求項３】
前記着脱口の直交する両壁面と、該ブロック部の側壁とに、一方がオスで、他方がメスであって、互いに対応する係合部をそれぞれ形成することを特徴とする請求項１に記載のダブル接続インタフェースを具えるメモリカード。
【請求項４】
前記着脱口の直交する両壁面と、該ブロック部の側壁とに、一方が楔状のブロックで、他方が楔状の溝であって、互いに対応する係合部をそれぞれ形成することを特徴とする請求項１に記載のダブル接続インタフェースを具えるメモリカード。
【請求項５】
前記ＵＳＢ接続端の幅をＵＳＢ接続ポートに挿入できるサイズにすることを特徴とする請求項１に記載のダブル接続インタフェースを具えるメモリカード。
【考案の詳細な説明】
【技術分野】
【０００１】
この考案は、メモリカードに関し、特にＵＳＢの４ピン構造の接続端子をＳＤ（Ｓｅｃｕｒｅ−Ｄｉｇｉｔａｌ）規格のフラッシュメモリカードに整合させ、２種類の接続インタフェースを具えるように構成したダブル接続インタフェイスメモリカードに関するものである。
【背景技術】
【０００２】
フラッシュメモリ（Ｆｌａｓｈ  Ｍｅｍｏｒｙ）は、電源を切断してもデータを保存することができるとともに、モータによる駆動を必要としないという特性を具えているため、電気関連業者の間で急速に普及している。また、保存したデータを携帯したいという需要に答えるため、多くの研究開発業者は携帯電話、ＰＤＡ（Ｐｅｒｓｏｎａｌ  Ｄｉｇｉｔａｌ  Ａｓｓｉｓｔａｎｔｓ、個人用情報端末）、デジタルカメラ、ＭＰ３対応音楽プレーヤーなどの情報電子機器に次々とフラッシュメモリを埋め込んだ。このように、フラッシュメモリは、急速に広範囲の情報電子機器内に埋め込まれ、データ保存のために使用されている。
【０００３】
しかしながら、それぞれのメーカーは競争と利益獲得のため、異なる規格のフラッシュメモリカードを製造している。例えば、ＣＦカード（Ｃｏｍｐａｃｔ−Ｆｌａｓｈ  Ｃａｒｄ）、ＳＤカード（Ｓｅｃｕｒｅ−Ｄｉｇｉｔａｌ  Ｃａｒｄ）、ＭＳカード（Ｍｅｍｏｒｙ−Ｓｔｉｃｋ  Ｃａｒｄ）、ＳＭカード（Ｓｍａｒｔ−Ｍｅｄｉａ  Ｃａｒｄ）、ＸＤカード（ＸＤ  Ｐｉｃｔｕｒｅ  Ｃａｒｄ）、ＭＭＣカード（Ｍｕｌｔｉ  Ｍｅｄｉａ  Ｃａｒｄ）などが現在市場で販売されているメモリカードの規格である。
【０００４】
メモリカードは外観、厚さ、幅、長さ（深さ）、接続端子で規格が異なる。上述した現在、市場で見られるメモリカードの接続端子（ＰＩＮ）の数はいずれも複雑で共通性がない。例えば、ＣＦカードは５０ピン、ＳＤカードが９ピン、ＭＳカードが１０ピン、ＭＭＣカードが７ピン、ＳＭカードが２２ピンなどである。よって、異なる接続規格のメモリカードは、データの読み取りに特定のカード読取装置が必要になる。
【０００５】
目下、多種類の異なる規格に対応できるカード読取装置が市販されている。但し、係るカード読取装置はそれぞれ規格の異なるメモリカードの接続端子の位置を正確に計算し、異なる規格のメモリカードを判断するものであるため、接続端子の数が多くなるにつれて製造コストが`嵩むのみならず、改良のための開発の余地もますます制限を受ける。
【０００６】
また、ＵＳＢ規格の接続インタフェースは、極めて広い互換性を有する。その特徴を次に掲げる。
１、優れた拡充能力を具え、通常１０数台の周辺設備をタンデム接続することができる。
２、タンデム接続するＵＳＢ装置は、いずれも１組の同様のシステムリソース（ＩＲＱ、ＤＭＡ、Ｉ／Ｏアドレス）しか占用しない。
３、ＵＳＢ２．０は４８０Ｍｂ／ｓの高速伝送能力を具える。
４、コンピュータ本体は、ＵＳＢインタフェースを介して周辺デバイスに必要な電力を供給することができる。
５、ホットスワップ（Ｈｏｔ  Ｓｗａｐｐｉｎｇ）とプラグアンドプレーの機能をサポートすることができる。
【０００７】
したがって、ＵＳＢ規格の４ピン構造の接続端子をＳＤ規格のメモリカードに整合させることによって、上述する従来の技術を改善するのみならず、ＵＳＢ規格の好ましい特性を活用することができる。
【考案の開示】
【考案が解決しようとする課題】
【０００８】
この考案はＳＤ規格のメモリカードにＵＳＢ４ピン接続端子を整合させたダブル接続インタフェースを具えるメモリカードを提供することを課題とする。
【課題を解決するための手段】
【０００９】
そこで、本考案者は従来の技術に見られる欠点に鑑みて鋭意研究を重ねた結果、長手方向の一端にＳＤ接続端子を設けて接続端とし、該ＳＤ接続端子に対向する他方の一端に４ピンのＵＳＢ接続端子を設けＵＳＢ接続端とするメモリカードであって、該メモリカードのＵＳＢ接続端側の端縁部の一方の角を方形に切り欠き、切り欠いた部分を着脱口とし、かつ切り欠いて得られる方形のブロック状の部分をブロック部とし、該着脱口に該ブロック部を着脱自在に設けてなるメモリカードによって本考案の課題を解決できる点に着眼し、かかる知見に基づいて本考案を完成させた。
【００１０】
以下、この考案について具体的に説明する。
請求項１に記載するダブル接続インタフェースを具えるメモリカードは、長手方向の一端にＳＤ接続端子を設けて接続端とし、該ＳＤ接続端子に対向する他方の一端に４ピンのＵＳＢ接続端子を設けＵＳＢ接続端とするメモリカードにおいて、
該メモリカードのＵＳＢ接続端側の端縁部の一方の角を方形に切り欠き、切り欠いた部分を着脱口とし、かつ切り欠いて得られる方形のブロック状の部分をブロック部とし、該着脱口に該ブロック部を着脱自在に設けて、該メモリカードをＳＤ規格の接続ポートと、ＵＳＢ規格の接続ポートとのいずれにも挿入できるように構成する。
【００１１】
請求項２に記載するダブル接続インタフェースを具えるメモリカードは、請求項１における着脱口の直交する両壁面と、該ブロック部の側壁とに、一方がオスで、他方がメスであって、互いに対応する係合部をそれぞれ形成する。
【００１２】
請求項３に記載のダブル接続インタフェースを具えるメモリカードは、請求項１における着脱口の直交する両壁面と、該ブロック部の側壁とに、一方がオスで、他方がメスであって、互いに対応する係合部をそれぞれ形成する。
【００１３】
請求項４に記載するダブル接続インタフェースを具えるメモリカードは、請求項１における着脱口の直交する両壁面と、該ブロック部の側壁とに、一方が楔状のブロックで、他方が楔状の溝であって、互いに対応する係合部をそれぞれ形成する。
【００１４】
請求項５に記載するダブル接続インタフェースを具えるメモリカードは、請求項１におけるＵＳＢ接続端の幅をＵＳＢ接続ポートに挿入できるサイズにする。
【考案の効果】
【００１５】
この考案によるダブル接続インタフェイスを具えたメモリカードは、ＵＳＢ規格の接続端子をＳＤ規格のメモリカードに整合させることによって、特定のメモリカードの規格の制限、もしくは特定の接続ポートの規格の制限を受けることがなくなり、使用上極めて便利であるという利点を有する。
【考案を実施するための最良の形態】
【００１６】
この考案は、ＵＳＢの４ピン構造の接続端子をＳＤ規格のフラッシュメモリカードに整合させたメモリカードを提供するものであって、長手方向の一端にＳＤ接続端子を設けて接続端とし、該ＳＤ接続端子に対向する他方の一端に４ピンのＵＳＢ接続端子を設けＵＳＢ接続端とするメモリカードであって、該メモリカードのＵＳＢ接続端側の端縁部の一方の角を方形に切り欠き、切り欠いた部分を着脱口とし、かつ切り欠いて得られる方形のブロック状の部分をブロック部とし、該着脱口に該ブロック部を着脱自在に設けて構成し、特定のメモリカードの規格の制限、もしくは特定の接続ポートの規格の制限を受けることがなくなり、極めて好ましい使用上の利便性を実現するという目的を達成した。
係る構成の２種類の接続インタフェースを具えたメモリカードについて、その構造と特徴を詳述するために具体的な実施例を挙げ、図面を参照にして以下に説明する。
【実施例】
【００１７】
図１に開示するように、この考案のメモリカード１は、長手方向の一端にＳＤ接続端子１２を設けてＳＤ接続端１ａとし、ＳＤ接続端子１ａに対向する他方の一端にＵＳＢ接続端子１３を設けＵＳＢ接続端と１ｂする。
【００１８】
図２に開示するように、ＵＳＢ接続端１ｂ側の端縁部の一方の角を方形に切り欠き、幅をＵＳＢ接続ポートに挿入できるサイズにしてＵＳＢ規格の接続端子を設ける。また、切り欠いた部分を着脱口１ｃとし、切り欠いて得られる方形のブロック状の部分をブロック部１０とし、着脱口１ｃにブロック部１０を着脱自在に設ける。即ち、ＳＤ接続端１ａをＳＤ規格の接続ポートに挿入する場合は着脱口１ｃにブロック部１０を取り付けた状態で使用し、ＵＳＢ接続端１ｂをＵＳＢ接続ポートに挿入する場合は着脱口１ｃにブロック部１０からブロック部１０を取り外す。
【００１９】
ブロック部１０の着脱は、着脱口１ｃの直交する壁面１１、１１’に係合部を形成し、かつブロック部１０の側壁１０１、１０１’には、側壁１１、１１’の該係合部に対応する位置に別途係合部を形成し、両係合部を係合させて達成する。両係合部は一方を凹状とし、他方を凸状とするか、もしくは一方をほぞとし、他方をほぞ孔としてもよい。また、一方を楔状のブロックとし、他方を楔状の溝としてもよい。即ち、この考案によるメモリカード１のブロック部１０の着脱は、一方がオスで、他方がメスで、着脱口１ｃの壁面１１、１１’と、ブロック部１０の側壁１０１、１０１’とを互いに係合させる構造であれば如何なる構造であってもよい。
【００２０】
図４に、この考案のＳＤフラッシュメモリカードの側面図を開示する。ＳＤ規格とＵＳＢ規格は、それぞれのカード読み取り装置の要求する厚さが異なる。そこで、図面に表示するＳＤ接続端１ａの厚さＡを２．１ｍｍとし、図面に表示するＵＳＢ接続端１ｂの厚さＢを２．２ｍｍとし、その差を０．１ｍｍとする。
【００２１】
図５に、この考案によるメモリカード１の使用態様を開示する。メモリカード１は一端がＳＤ接続端１ａとなり、他端がＵＳＢ接続端１ｂとなる。よって、コンピュータ本体２のＳＤ規格のカード読取装置２１に挿入して、データのアクセスに提供する場合は、ＳＤ接続端１ａから挿入する。また、ＵＳＢ規格の接続ポート２２に挿入する場合は、ブロック部１０を外して（図２参照）、ＵＳＢ接続端を対応するＵＳＢ規格の接続ポート２２に挿入する。
【００２２】
ＵＳＢ規格はホットスワップと、プラグアンドプレーの機能を具えている。また、ＵＳＢ規格の接続インタフェースは広く応用されていて、極めて好ましい互換性を有する。よって、ＳＤ規格のメモリカードとＵＳＢ規格の接続端子１３とを一体に整合することによってフラッシュメモリカードにＳＤとＵＳＢのダブル接続インタフェースの規格を付与する目的を達成することができる。よって、挿入、読み取りの操作が便利になる。即ち、特定の規格のメモリカードの制限を受けることなく、特定のカード読取装置を必要とすることなく、カード読み取りに係る規格の制限という問題を解決することができる。
【００２３】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２４】
【図１】この考案によるメモリカードの外観を示した斜視図である。
【図２】図１に開示するメモリカードからブロック部を外した状態を示した説明図である。
【図３】図１に開示するメモリカードの平面図である。
【図４】図１に開示するメモリカードの側面図である。
【図５】図１に開示するメモリカードの使用態様を示した説明図である。
【符号の説明】
【００２５】
１        メモリカード
１ａ      ＳＤ接続端
１ｂ      ＵＳＢ接続端
１ｃ      着脱口
１０１    側壁
１０１’  側壁
１１      壁面
１１’    壁面
１２      ＳＤ接続端子
１３      ＵＳＢ接続端子
２        コンピュータ本体
２１      カード読取装置
２２      接続ポート
Ａ        厚さ
Ｂ        厚さ
【図１】
0003115296.tif 000003
【図２】
0003115296.tif 000004
【図３】
0003115296.tif 000005
【図４】
0003115296.tif 000006
【図５】
0003115296.tif 000007